(57)【特許請求の範囲】
【請求項１】
ワイヤレス通信のための方法であって、
ユーザ機器（ＵＥ）の送信無線アクセス技術（ＲＡＴ）および受信ＲＡＴの少なくとも１つの動作パラメータを決定することと、前記送信ＲＡＴは、前記少なくとも１つの動作パラメータに従って信号を送信し、
前記送信ＲＡＴおよび前記受信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用することと、
前記送信ＲＡＴの前記動作パラメータまたは前記受信ＲＡＴの前記動作パラメータのうちの少なくとも１つをしきい値と比較することと、
前記受信ＲＡＴによって受信された信号から、ベースバンドにおける前記推定された非線形干渉を除去することと、
を備える、方法。
【請求項２】
前記送信ＲＡＴの前記少なくとも１つの動作パラメータは、周波数、帯域幅、または送信電力のうちの少なくとも１つをさらに含む、請求項１に記載の方法。
【請求項３】
前記受信ＲＡＴの前記少なくとも１つの動作パラメータは、周波数、帯域幅、または受信信号強度インジケータのうちの少なくとも１つを含む、請求項１に記載の方法。
【請求項４】
ワイヤレス通信のための装置であって、
ユーザ機器（ＵＥ）の送信無線アクセス技術（ＲＡＴ）および受信ＲＡＴの少なくとも１つの動作パラメータを決定するための手段と、前記送信ＲＡＴは、前記少なくとも１つの動作パラメータに従って信号を送信し、
前記送信ＲＡＴおよび前記受信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用するための手段と、
前記送信ＲＡＴの前記動作パラメータまたは前記受信ＲＡＴの前記動作パラメータのうちの少なくとも１つをしきい値と比較するための手段と、
前記受信ＲＡＴによって受信された信号から、ベースバンドにおける前記推定された非線形干渉を除去するための手段と、
を備える、装置。
【請求項５】
前記送信ＲＡＴの前記少なくとも１つの動作パラメータは、周波数、帯域幅、または送信電力のうちの少なくとも１つをさらに含む、請求項４に記載の装置。
【請求項６】
前記受信ＲＡＴの前記少なくとも１つの動作パラメータは、周波数、帯域幅、または受信信号強度インジケータのうちの少なくとも１つを含む、請求項４に記載の装置。
【請求項７】
ワイヤレスネットワークにおけるワイヤレス通信のためのコンピュータプログラムであって、
ユーザ機器（ＵＥ）の送信無線アクセス技術（ＲＡＴ）および受信ＲＡＴの少なくとも１つの動作パラメータを決定するためのプログラムコードと、前記送信ＲＡＴは、前記少なくとも１つの動作パラメータに従って信号を送信し、
前記送信ＲＡＴおよび前記受信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用するためのプログラムコードと、
前記送信ＲＡＴの前記動作パラメータまたは前記受信ＲＡＴの前記動作パラメータのうちの少なくとも１つをしきい値と比較するためのプログラムコードと、
前記受信ＲＡＴによって受信された信号から、ベースバンドにおける前記推定された非線形干渉を除去するためのプログラムコードと、
を備える、コンピュータプログラム。
【請求項８】
前記送信ＲＡＴの前記少なくとも１つの動作パラメータは、周波数、帯域幅、または送信電力のうちの少なくとも１つをさらに含む、請求項７に記載のコンピュータプログラム。
【請求項９】
前記受信ＲＡＴの前記少なくとも１つの動作パラメータは、周波数、帯域幅、または受信信号強度インジケータのうちの少なくとも１つを含む、請求項７に記載のコンピュータプログラム。
【請求項１０】
ワイヤレス通信のための装置であって、
メモリと、
前記メモリに接続された少なくとも１つのプロセッサと、
を備え、前記少なくとも１つのプロセッサは、
ユーザ機器（ＵＥ）の送信無線アクセス技術（ＲＡＴ）および受信ＲＡＴの少なくとも１つの動作パラメータを決定することと、前記送信ＲＡＴは、前記少なくとも１つの動作パラメータに従って信号を送信し、
前記送信ＲＡＴおよび前記受信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用することと、
前記送信ＲＡＴの前記動作パラメータまたは前記受信ＲＡＴの前記動作パラメータのうちの少なくとも１つをしきい値と比較することと、
前記受信ＲＡＴによって受信された信号から、ベースバンドにおける前記推定された非線形干渉を除去することと、
を行うように構成される、装置。
【請求項１１】
前記送信ＲＡＴの前記少なくとも１つの動作パラメータは、周波数、帯域幅、または送信電力のうちの少なくとも１つをさらに含む、請求項１０に記載の装置。
【請求項１２】
前記受信ＲＡＴの前記少なくとも１つの動作パラメータは、周波数、帯域幅、または受信信号強度インジケータのうちの少なくとも１つを含む、請求項１０に記載の装置。
【請求項１３】
前記非線形変換を適用することは、前記送信ＲＡＴの送信された信号のデジタルベースバンド部分から、前記送信ＲＡＴの中心動作周波数の高調波を推定することと、前記非線形干渉として、前記推定された高調波に基づく高調波干渉を推定することと、を備える、請求項１に記載の方法。
【請求項１４】
前記非線形変換を適用するための手段は、前記送信ＲＡＴの送信された信号のデジタルベースバンド部分から、前記送信ＲＡＴの中心動作周波数の高調波を推定するための手段と、前記非線形干渉として、前記推定された高調波に基づく高調波干渉を推定するための手段と、を備える、請求項４に記載の装置。
【請求項１５】
前記非線形変換を適用することは、前記送信ＲＡＴの送信された信号のデジタルベースバンド部分から、前記送信ＲＡＴの中心動作周波数の高調波を推定することと、前記非線形干渉として、前記推定された高調波に基づく高調波干渉を推定することと、を備える、請求項７に記載のコンピュータプログラム。
【請求項１６】
前記非線形変換を適用することは、前記送信ＲＡＴの送信された信号のデジタルベースバンド部分から、前記送信ＲＡＴの中心動作周波数の高調波を推定することと、前記非線形干渉として、前記推定された高調波に基づく高調波干渉を推定することと、を備える、請求項１０に記載の装置。
【請求項１７】
ベースバンドにおける前記推定された非線形干渉を除去することは、ローパスフィルタ（ＬＰＦ）を用いて、前記受信ＲＡＴによって受信された信号から、ベースバンドにおける前記推定された非線形干渉を除去することを備え、ここにおいて、ＬＰＦタップの数は、リソースブロック（ＲＢ）割り当てを備える、前記送信ＲＡＴの前記決定された少なくとも１つの動作パラメータに基づいて調整される、請求項１〜３、および１３のうちの１つに記載の方法。
【請求項１８】
ベースバンドにおける前記推定された非線形干渉を除去するための手段は、ローパスフィルタ（ＬＰＦ）を用いて、前記受信ＲＡＴによって受信された信号から、ベースバンドにおける前記推定された非線形干渉を除去するための手段を備え、ここにおいて、ＬＰＦタップの数は、リソースブロック（ＲＢ）割り当てを備える、前記送信ＲＡＴの前記決定された少なくとも１つの動作パラメータに基づいて調整される、請求項４〜６、および１４のうちの１つに記載の方法。
【請求項１９】
ベースバンドにおける前記推定された非線形干渉を除去するためのことは、ローパスフィルタ（ＬＰＦ）を用いて、前記受信ＲＡＴによって受信された信号から、ベースバンドにおける前記推定された非線形干渉を除去することを備え、ここにおいて、ＬＰＦタップの数は、リソースブロック（ＲＢ）割り当てを備える、前記送信ＲＡＴの前記決定された少なくとも１つの動作パラメータに基づいて調整される、請求項７〜９、および１５のうちの１つに記載のコンピュータプログラム。
【請求項２０】
ベースバンドにおける前記推定された非線形干渉を除去することは、ローパスフィルタ（ＬＰＦ）を用いて、前記受信ＲＡＴによって受信された信号から、ベースバンドにおける前記推定された非線形干渉を除去することを備え、ここにおいて、ＬＰＦタップの数は、リソースブロック（ＲＢ）割り当てを備える、前記送信ＲＡＴの前記決定された少なくとも１つの動作パラメータに基づいて調整される、請求項１０〜１２、および１６のうちの１つに記載の装置。
【発明の詳細な説明】
【関連出願の相互参照】
【０００１】
本願は、その開示全体が参照により本明細書に明確に組み込まれる、ＲＩＭＩＮＩ他の名において、２０１２年９月２７日に出願された「サイドバンド情報を使用した適応非線形干渉除去（ADAPTIVE NON-LINEAR INTERFERENCE CANCELLATION USING SIDE-BAND INFORMATION）」と題する米国仮特許出願第６１／７０６，７０６号の米国特許法第１１９条（ｅ）項に基づく利益を主張する。
【技術分野】
【０００２】
本開示の態様は、一般にマルチ無線技法に関し、より詳細には、マルチ無線デバイスのための共存技法に関する。
【背景技術】
【０００３】
[0003]  ワイヤレス通信システムは、音声、データなどの様々なタイプの通信コンテンツを提供するために広く展開されている。これらのシステムは、利用可能なシステムリソース（例えば、帯域幅および送信電力）を共有することによって複数のユーザとの通信をサポートすることが可能な多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムを含む。
【０００４】
[0004]  一般に、ワイヤレス多元接続通信システムは、複数のワイヤレス端末のための通信を同時にサポートしうる。各端末は、順方向リンクおよび逆方向リンク上での送信を介して１つまたは複数の基地局と通信する。順方向リンク（すなわちダウンリンク）は、基地局から端末への通信リンクを指し、逆方向リンク（すなわちアップリンク）は、端末から基地局への通信リンクを指す。この通信リンクは、単入力単出力、多入力単出力、または多入力多出力（ＭＩＭＯ）のシステムを介して確立されうる。
【０００５】
[0005]  いくつかの従来の高度なデバイスは、異なる無線アクセス技術（ＲＡＴ）を使用して送信／受信するための複数の無線機（radios）を含む。ＲＡＴの例は、例えば、ユニバーサルモバイル通信システム（ＵＭＴＳ）、モバイル通信用グローバルシステム（ＧＳＭ（登録商標））、ｃｄｍａ２０００、ＷｉＭＡＸ（登録商標）、ＷＬＡＮ（例えば、ＷｉＦｉ（登録商標））、ブルートゥース（登録商標）、ＬＴＥなどを含む。
【０００６】
[0006]  実例的なモバイルデバイスは、第４世代（４Ｇ）モバイルフォンのような、ＬＴＥユーザ機器（ＵＥ）を含む。このような４Ｇフォンは、ユーザに様々な機能を提供するために、様々な無線機を含みうる。この例の目的のために、４Ｇフォンは、音声およびデータ用のＬＴＥ無線機、ＩＥＥＥ ８０２．１１（ＷｉＦｉ）無線機、全地球測位システム（ＧＰＳ）無線機、およびブルートゥース無線機を含み、ここで、上記のうちの２つ、または４つすべてが同時に動作しうる。異なる無線機は、該フォンのために有用な機能を提供する一方で、これらを単一のデバイスに含めると、共存問題を引き起こす。具体的には、１つの無線機の動作は、いくつかのケースでは、放射性の（radiative）、伝導性の（conductive）、リソース衝突の、および／または他の干渉メカニズムを通じて、別の無線機の動作と干渉しうる。共存問題は、このような干渉を含む。
【０００７】
[0007]  これは特に、産業科学医療（ＩＳＭ）バンドと隣接しかつそれとの干渉を引き起こしうるＬＴＥアップリンクチャネルに当てはまる。ブルートゥースおよびいくつかのワイヤレスＬＡＮ（ＷＬＡＮ）チャネルは、ＩＳＭバンドの範囲内にある（fall within）ことに留意されたい。いくつかの事例では、ブルートゥース誤り率は、いくつかのブルートゥースチャネル状態（conditions）において、ＬＴＥがバンド７またはバンド４０でさえものいくつかのチャネルにおいてアクティブである場合、許容できなくなりうる。たとえＬＴＥに対する顕著な劣化がないにしても、ブルートゥースとの同時動作は、ブルートゥースヘッドセットにおいて終端する音声サービスの途絶（disruption）をもたらしうる。このような途絶は、消費者にとって許容できないものでありうる。ＬＴＥ送信がＧＰＳと干渉する場合、同様の問題が存在する。現在、ＬＴＥ単独ではいかなる劣化も経験しないので、この問題を解決しうるメカニズムは存在しない。
【０００８】
[0008]  特にＬＴＥに関して、ＵＥは、ダウンリンク上でＵＥによって観察される干渉についてｅＮＢに通知するために、発展型ノードＢ（ｅＮＢ；例えば、ワイヤレス通信ネットワーク用の基地局）と通信することに留意されたい。さらに、ｅＮＢは、ダウンリンクパケット誤り率を使用して、ＵＥにおける干渉を推定することが可能でありうる。いくつかの事例では、ｅＮＢおよびＵＥは、ＵＥにおける干渉、さらにＵＥ自体の内部の無線機による干渉をも低減させる解決策を見つけるように協調しうる（cooperate）。しかしながら、従来のＬＴＥでは、ダウンリンクに関する干渉推定値（interference estimates）は、干渉に包括的に対処するのに適していない（not be adequate）場合がある。
【０００９】
[0009]  １つの事例では、ＬＴＥアップリンク信号は、ブルートゥース信号またはＷＬＡＮ信号と干渉する。しかしながら、このような干渉は、ｅＮＢにおけるダウンリンク測定報告に反映されない。その結果、ＵＥ側での一方的な動作（例えば、アップリンク信号を異なるチャネルに移動させること）は、アップリンク共存問題について認識してなく、かつこの一方的な動作を取り消そうとするｅＮＢによって阻止されうる。例えば、たとえＵＥが異なる周波数チャネル上で接続を再確立したとしても、ネットワークは、依然として、デバイス内（in-device）干渉によって損なわれた元の周波数チャネルにＵＥをハンドオーバして戻しうる。損なわれたチャネル（corrupted channel）上の所望の信号強度は、時に、ｅＮＢに対する基準信号受信電力（ＲＳＲＰ）に基づいて新しいチャネルの測定報告に反映されたものよりも高くなりうるので、これは、起こりうるシナリオである。したがって、ｅＮＢがハンドオーバ決定を行うためにＲＳＲＰ報告を使用する場合、損なわれたチャネルと所望のチャネルとの間を行ったり来たりするピンポン効果が生じうる。
【００１０】
[0010]  単純に、ｅＮＢの調整なしにアップリンク通信を停止するなどの、ＵＥ側での他の一方的な動作は、ｅＮＢにおける電力ループの誤動作を引き起こしうる。従来のＬＴＥに存在するさらなる問題は、共存問題を有する構成の代替として所望の構成を提案するＵＥ側の能力の全般的な欠如を含む。少なくともこれらの理由から、ＵＥにおけるアップリンク共存問題は、長い時間期間にわたって未解決のままであり、ＵＥの他の無線機に関するパフォーマンスおよび効率を劣化させうる。
【発明の概要】
【００１１】
[0011]  本開示の一態様によると、ワイヤレス通信のための方法は、ユーザ機器（ＵＥ）の送信無線アクセス技術（ＲＡＴ）の少なくとも１つの動作パラメータを決定することを含む。送信ＲＡＴは、少なくとも１つの動作パラメータに従って信号を送信しうる。この方法はまた、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用することを含みうる。この方法はまた、受信ＲＡＴによって受信された信号から、ベースバンドにおける推定された非線形干渉を除去することを含みうる。
【００１２】
[0012]  本開示の別の態様によると、ワイヤレス通信のための装置は、ユーザ機器（ＵＥ）の送信無線アクセス技術（ＲＡＴ）の少なくとも１つの動作パラメータを決定するための手段を含む。送信ＲＡＴは、少なくとも１つの動作パラメータに従って信号を送信しうる。この装置はまた、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用するための手段を含みうる。この装置はまた、受信ＲＡＴによって受信された信号から、ベースバンドにおける推定された非線形干渉を除去するための手段を含みうる。
【００１３】
[0013]  本開示の一態様によると、ワイヤレスネットワークにおけるワイヤレス通信のためのコンピュータプログラム製品は、非一時的なプログラムコードを記録したコンピュータ可読媒体を含む。このプログラムコードは、ユーザ機器（ＵＥ）の送信無線アクセス技術（ＲＡＴ）の少なくとも１つの動作パラメータを決定するためのプログラムコードを含む。送信ＲＡＴは、少なくとも１つの動作パラメータに従って信号を送信しうる。このプログラムコードはまた、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用するためのプログラムコードを含む。このプログラムコードはまた、受信ＲＡＴによって受信された信号から、ベースバンドにおける推定された非線形干渉を除去するためのプログラムコードを含む。
【００１４】
[0014]  本開示の一態様によると、ワイヤレス通信のための装置は、メモリと、メモリに結合された１つまたは複数のプロセッサとを含む。この１つまたは複数のプロセッサは、ユーザ機器（ＵＥ）の送信無線アクセス技術（ＲＡＴ）の少なくとも１つの動作パラメータを決定するように構成される。送信ＲＡＴは、少なくとも１つの動作パラメータに従って信号を送信しうる。この1つまたは複数のプロセッサは、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用するようにさらに構成される。この1つまたは複数のプロセッサは、受信ＲＡＴによって受信された信号から、ベースバンドにおける推定された非線形干渉を除去するようにさらに構成される。
【００１５】
[0015]  本開示の追加の特徴および利点が以下に説明される。本開示が、本開示の同じ目的を実行するための他の構造を修正または設計するための基礎として容易に利用されうることは、当業者によって理解されるべきである。また、このような等価の構成が、添付された特許請求の範囲に記載の本開示の教示から逸脱しないことも、当業者によって理解されるべきである。さらなる目的および利点とともに、本開示の構成および動作の方法の両方について、本開示の特徴であると考えられる新規な特徴は、添付図面に関連して考慮されるとき、以下の説明からより良く理解されるであろう。しかしながら、各々の図は、例示および説明のみの目的で提供され、本開示の限定の定義として意図されるものではないことが、明確に理解されるべきである。
【００１６】
[0016]  本開示の特徴、性質、および利点は、同様の参照符号が全体にわたって同一物とみなされる図面と共に考慮されるときに、以下に記載する詳細な説明からより明らかになるであろう。
【図面の簡単な説明】
【００１７】
【図１】図１は、一態様による、多元接続ワイヤレス通信システムを例示する。
【図２】図２は、一態様による、通信システムのブロック図である。
【図３】図３は、ダウンリンクロングタームエボリューション（ＬＴＥ）通信における典型的なフレーム構造を例示する。
【図４】図４は、アップリンクロングタームエボリューション（ＬＴＥ）通信における典型的なフレーム構造を概念的に例示するブロック図である。
【図５】図５は、実例的なワイヤレス通信環境を例示する。
【図６】図６は、マルチ無線ワイヤレスデバイスのための実例的な設計のブロック図である。
【図７】図７は、所与の決定期間における７つの実例的な無線機間のそれぞれの潜在的な衝突を示すグラフである。
【図８】図８は、経時的な、実例的な共存マネージャ（ＣｘＭ）の動作を示す図である。
【図９】図９は、隣接する周波数帯域を例示するブロック図である。
【図１０】図１０は、本開示の一態様による、マルチ無線共存管理のためにワイヤレス通信環境内にサポートを提供するためのシステムのブロック図である。
【図１１】図１１は、非線形干渉除去を用いる装置のためのハードウェア実装の例を例示する図である。
【図１２】図１２は、非線形干渉除去を用いる装置のためのハードウェア実装の例を例示する図である。
【図１３】図１３は、本開示の一態様による、非線形干渉除去を例示するブロック図である。
【図１４】図１４は、非線形干渉除去を用いる装置のためのハードウェア実装の例を例示する図である。
【発明を実施するための形態】
【００１８】
[0031]  本開示の様々な態様は、マルチ無線デバイスにおける共存問題を緩和するための技法を提供し、ここで、著しいデバイス内共存問題は、例えば、ＬＴＥバンドと（例えば、ＢＴ／ＷＬＡＮ用の）産業科学医療（ＩＳＭ）バンドとの間で存在しうる。上記で説明されたように、ｅＮＢは、他の無線によって経験されるＵＥ側の干渉を認識していないので、いくつかの共存問題は存続する（persist）。一態様によると、現在のチャネル上に共存問題が存在する場合、ＵＥは、無線リンク障害（ＲＬＦ）を宣言し、新しいチャネルまたは無線アクセス技術（ＲＡＴ）に自律的にアクセスする。ＵＥは、以下の理由から、いくつかの例においてＲＬＦを宣言しうる：１）ＵＥ受信が共存による干渉によって影響を受ける、２）ＵＥ送信機が別の無線機に対して破壊的な干渉を引き起こしている。その後、ＵＥは、新しいチャネルまたはＲＡＴにおける接続を再確立しながら、共存問題を示すメッセージをｅＮＢに送る。ｅＮＢは、そのメッセージを受信したことによって、共存問題を認識するようになる。
【００１９】
[0032]  本明細書で説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの、様々なワイヤレス通信ネットワークのために使用されうる。「ネットワーク」および「システム」という用語は、しばしば交換可能に使用される。ＣＤＭＡネットワークは、ユニバーサル地上無線アクセス（ＵＴＲＡ：Universal Terrestrial Radio Access）、ｃｄｍａ２０００などの無線技術を実装しうる。ＵＴＲＡは、広帯域ＣＤＭＡ（Ｗ−ＣＤＭＡ（登録商標））および低チップレート（ＬＣＲ）を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））のような無線技術を実装しうる。ＯＦＤＭＡネットワークは、発展型ＵＴＲＡ（Ｅ−ＵＴＲＡ）、ＩＥＥＥ ８０２．１１、ＩＥＥＥ ８０２．１６、ＩＥＥＥ ８０２．２０、Ｆｌａｓｈ−ＯＦＤＭ（登録商標）などの無線技術を実装しうる。ＵＴＲＡ、Ｅ−ＵＴＲＡ、およびＧＳＭは、ユニバーサルモバイル通信システム（ＵＭＴＳ）の一部である。ロングタームエボリューション（ＬＴＥ）は、Ｅ−ＵＴＲＡを使用するＵＭＴＳの最新の（upcoming）リリースである。ＵＴＲＡ、Ｅ−ＵＴＲＡ、ＧＳＭ、ＵＭＴＳおよびＬＴＥは、「第３世代パートナーシッププロジェクト」（３ＧＰＰ）と呼ばれる団体からの文書に説明されている。ＣＤＭＡ２０００は、「第３世代パートナーシッププロジェクト２」（３ＧＰＰ２）と呼ばれる団体からの文書に説明されている。これらの様々な無線技術および規格は、当該技術分野において周知である。明瞭さのために、技術のある特定の態様は、ＬＴＥに関して以下に説明され、ＬＴＥ用語が以下の説明の複数の部分で使用される。
【００２０】
[0033]  シングルキャリア変調および周波数ドメイン等化を利用するシングルキャリア周波数分割多元接続（ＳＣ−ＦＤＭＡ）は、本明細書で説明される様々な態様とともに利用されうる技術である。ＳＣ−ＦＤＭＡは、ＯＦＤＭＡシステムのものと同様のパフォーマンスおよび実質的に同じ全体的な複雑さを有する。ＳＣ−ＦＤＭＡ信号は、それ固有のシングルキャリア構造のために、より低いピーク対平均電力比（ＰＡＰＲ）を有する。ＳＣ−ＦＤＭＡは、特に、送信電力効率という点で、より低いＰＡＰＲがモバイル端末に大いに利益をもたらすアップリンク通信において、大きな注目を集めている。これは現在、３ＧＰＰロングタームエボリューション（ＬＴＥ）、または発展型ＵＴＲＡにおけるアップリンク多元接続方式についての作業仮説（working assumption）である。
【００２１】
[0034]  図１を参照すると、一態様による多元接続ワイヤレス通信システムが例示される。発展型ノードＢ １００（ｅＮＢ）は、リソースおよびパラメータを割り当てること、ユーザ機器からの要求を許可／拒否すること、および／または同様のことによってＬＴＥ通信を管理するための処理リソースとメモリリソースとを有するコンピュータ１１５を含む。ｅＮＢ １００はまた、複数のアンテナグループを有し、１つのグループはアンテナ１０４とアンテナ１０６を含み、別のグループはアンテナ１０８とアンテナ１１０を含み、さらなるグループはアンテナ１１２とアンテナ１１４を含む。図１では、各アンテナグループにつき２つのアンテナのみが示されているが、より多くのアンテナまたはより少ないアンテナが各アンテナグループのために利用されうる。ユーザ機器（ＵＥ）１１６（アクセス端末（ＡＴ）とも呼ばれる）は、アンテナ１１２および１１４がアップリンク（ＵＬ）１８８上でＵＥ １１６に情報を送信する間、アンテナ１１２および１１４と通信状態にある。ＵＥ １２２は、アンテナ１０６および１０８が、ダウンリンク（ＤＬ）１２６上でＵＥ １２２に情報を送信し、アップリンク１２４上でＵＥ １２２から情報を受信する間、アンテナ１０６および１０８と通信状態にある。周波数分割デュプレックス（ＦＤＤ）システムでは、通信リンク１１８、１２０、１２４および１２６は、通信のために異なる周波数を使用しうる。例えば、ダウンリンク１２０は、アップリンク１１８によって使用されるものとは異なる周波数を使用しうる。
【００２２】
[0035]  アンテナの各グループおよび／またはそれらが通信するように設計されたエリアは、しばしば、ｅＮＢのセクタと呼ばれる。この態様では、それぞれのアンテナグループは、ｅＮＢ １００によってカバーされるエリアのセクタ内のＵＥに通信するように設計される。
【００２３】
[0036]  ダウンリンク１２０および１２６上の通信では、ｅＮＢ １００の送信アンテナは、異なるＵＥ １１６および１２２に対するアップリンクの信号対ノイズ比を改善するためにビームフォーミングを利用する。また、そのカバレッジ全体にわたってランダムに分散されたＵＥに送信するためにビームフォーミングを使用するｅＮＢは、そのＵＥすべてに単一のアンテナを通じて送信するＵＥよりも、隣接セルにおけるＵＥに対して少ない干渉を引き起こす。
【００２４】
[0037]  ｅＮＢは、端末と通信するために使用される固定局であることができ、また、アクセスポイント、基地局、または何らかの他の用語で呼ばれることができる。ＵＥはまた、アクセス端末、ワイヤレス通信デバイス、端末、または何らかの他の用語で呼ばれることができる。
【００２５】
[0038]  図２は、ＭＩＭＯシステム２００における送信機システム２１０（ｅＮＢとしても知られる）および受信機システム２５０（ＵＥとしても知られる）の態様のブロック図である。いくつかの事例では、ＵＥとｅＮＢの両方が、送信機システムと受信機システムとを含むトランシーバをそれぞれ有する。送信機システム２１０において、多数の（a number of）データストリームのためのトラヒックデータが、データソース２１２から送信（ＴＸ）データプロセッサ２１４に供給される。
【００２６】
[0039]  ＭＩＭＯシステムは、データ伝送のために、複数（ＮT個）の送信アンテナと、複数（ＮR個）の受信アンテナとを用いる。ＮT個の送信アンテナとＮR個の受信アンテナとによって形成されるＭＩＭＯチャネルは、空間チャネルとも呼ばれるＮS個の独立チャネルに分解されることができ、ここで、ＮS≦ｍｉｎ｛ＮT，ＮR｝である。ＮS個の独立チャネルの各々は、１つの次元（a dimension）に対応する。複数の送信アンテナおよび受信アンテナによって生成される追加の次元が利用される場合、ＭＩＭＯシステムは、改善されたパフォーマンス（例えば、より高いスループットおよび／またはより大きな信頼性）を提供しうる。
【００２７】
[0040]  ＭＩＭＯシステムは、時分割デュプレックス（ＴＤＤ）システムおよび周波数分割デュプレックス（ＦＤＤ）システムをサポートする。ＴＤＤシステムでは、アップリンクおよびダウンリンクの送信は、相互依存原理（reciprocity principle）によりアップリンクチャネルからダウンリンクチャネルの推定が可能になるように、同じ周波数領域上で行われる。これは、複数のアンテナがｅＮＢにおいて利用可能であるときに、ｅＮＢがダウンリンク上で送信ビームフォーミング利得を抽出することを可能にする。
【００２８】
[0041]  一態様では、各データストリームは、それぞれの送信アンテナを介して送信される。ＴＸデータプロセッサ２１４は、各データストリームのためのトラフィックデータを、そのデータストリーム用に選択された特定のコーディング方式に基づいて、フォーマットし、コーディングし、インターリーブして、コード化データを供給する。
【００２９】
[0042]  各データストリームのためのコード化データは、ＯＦＤＭ技法を使用してパイロットデータと多重化されうる。パイロットデータは、既知の方法で処理される、既知のデータパターンであり、チャネル応答を推定するために受信機システムおいて使用されうる。その後、各データストリームのための多重化されたパイロットおよびコード化データは、そのデータストリーム用に選択された特定の変調方式（例えば、ＢＰＳＫ、ＱＳＰＫ、Ｍ−ＰＳＫ、またはＭ−ＱＡＭ）に基づいて変調（例えば、シンボルマッピング）されて、変調シンボルを供給する。各データストリームのためのデータレート、コーディング、および変調は、メモリ２３２とともに動作するプロセッサ２３０によって実行される命令によって決定されうる。
【００３０】
[0043]  その後、それぞれのデータストリームのための変調シンボルは、ＴＸ ＭＩＭＯプロセッサ２２０に供給され、それは、（例えば、ＯＦＤＭ用に）変調シンボルをさらに処理しうる。その後、ＴＸ ＭＩＭＯプロセッサ２２０は、ＮT個の変調シンボルストリームをＮT個の送信機（ＴＭＴＲ）２２２ａ〜２２２ｔに供給する。ある特定の態様では、ＴＸ ＭＩＭＯプロセッサ２２０は、データストリームのシンボルと、シンボルの送信元であるアンテナとにビームフォーミング重みを適用する。
【００３１】
[0044]  各送信機２２２は、それぞれのシンボルストリームを受信および処理して、１つまたは複数のアナログ信号を供給し、これらのアナログ信号をさらに調整（例えば、増幅、フィルタ処理、およびアップコンバート）して、ＭＩＭＯチャネルを介した送信に適した被変調信号を供給する。その後、送信機２２２ａ〜２２２ｔからのＮT個の被変調信号は、それぞれＮT個のアンテナ２２４ａ〜２２４ｔから送信される。
【００３２】
[0045]  受信機システム２５０において、送信された被変調信号は、ＮR個のアンテナ２５２ａ〜２５２ｒによって受信され、各アンテナ２５２からの受信された信号は、それぞれの受信機（ＲＣＶＲ）２５４ａ〜２５４ｒに供給される。各受信機２５４は、それぞれの受信された信号を調整（例えば、フィルタ処理、増幅、およびダウンコンバート）し、調整された信号をデジタル化してサンプルを供給し、これらサンプルをさらに処理して、対応する「受信された」シンボルストリームを供給する。
【００３３】
[0046]  その後、ＲＸデータプロセッサ２６０は、ＮR個の受信機２５４からＮR個の受信されたシンボルストリームを受信し、特定の受信機処理技法に基づいて処理して、ＮR個の「検出された」シンボルストリームを供給する。その後、ＲＸデータプロセッサ２６０は、各検出されたシンボルストリームを復調し、デインターリーブし、復号して、データストリームのためのトラフィックデータを復元する。ＲＸデータプロセッサ２６０による処理は、送信機システム２１０においてＴＸ ＭＩＭＯプロセッサ２２０およびＴＸデータプロセッサ２１４によって実行される処理に対して相補的である。
【００３４】
[0047]  （メモリ２７２とともに動作する）プロセッサ２７０は、どのプリコーディング行列を使用するかを周期的に決定する（以下に説明される）。プロセッサ２７０は、行列インデックス部分とランク値部分を有するアップリンクメッセージを形成する（formulates）。
【００３５】
[0048]  アップリンクメッセージは、通信リンクおよび／または受信されたデータストリームに関する様々なタイプの情報を含みうる。その後、アップリンクメッセージは、データソース２３６から多数のデータストリームのためのトラフィックデータをも受信するＴＸデータプロセッサ２３８によって処理され、変調器２８０によって変調され、送信機２５４ａ〜２５４ｒによって調整され、送信機システム２１０に返送される。
【００３６】
[0049]  送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージが抽出される。その後、プロセッサ２３０は、ビームフォーミング重みを決定するためにどのプリコーディング行列を使用すべきかを決定し、その後、抽出されたメッセージを処理する。
【００３７】
[0050]  図３は、ダウンリンクロングタームエボリューション（ＬＴＥ）通信における典型的なフレーム構造を概念的に例示するブロック図である。ダウンリンク用の送信タイムラインは、無線フレームの単位に分割されうる。各無線フレームは、所定の持続時間（例えば、１０ミリ秒（ｍｓ））を有し得、０〜９のインデックスをもつ１０個のサブフレームに分割され得る。各サブフレームは、２つのスロットを含みうる。したがって、各無線フレームは、０〜１９のインデックスをもつ２０個のスロットを含みうる。各スロットは、Ｌ個のシンボル期間、例えば、（図３に示すような）通常のサイクリックプレフィックスの場合は７個のシンボル期間、または拡張されたサイクリックプレフィックスの場合は６個のシンボル期間を含みうる。各サブフレームにおける２Ｌ個のシンボル期間には、０〜２Ｌ−１のインデックスを割り当てられうる。利用可能な時間周波数リソースは、リソースブロックに分割されうる。各リソースブロックは、１つのスロットにおいてＮ個のサブキャリア（例えば、１２個のサブキャリア）をカバーしうる。
【００３８】
[0051]  ＬＴＥでは、ｅＮＢは、ｅＮＢにおける各セルについて、プライマリ同期信号（ＰＳＳ）とセカンダリ同期信号（ＳＳＳ）を送りうる。図３に示されるように、ＰＳＳおよびＳＳＳは、通常のサイクリックプレフィックスの場合、各無線フレームのサブフレーム０および５の各々におけるシンボル期間６および５でそれぞれ送られうる。同期信号は、セル検出および獲得のためにＵＥによって使用されうる。ｅＮＢは、サブフレーム０のスロット１におけるシンボル期間０〜３において物理ブロードキャストチャネル（ＰＢＣＨ）を送りうる。ＰＢＣＨは、ある特定のシステム情報を搬送しうる。
【００３９】
[0052]  ｅＮＢは、ｅＮＢにおける各セルについて、セル固有の基準信号（ＣＲＳ）を送りうる。ＣＲＳは、通常のサイクリックプレフィックスのケースでは、各スロットのシンボル０、１、および４において、および、拡張されたサイクリックプレフィックスのケースでは、各スロットのシンボル０、１、および３において、送られうる。ＣＲＳは、物理チャネルのコヒーレント復調、タイミングおよび周波数トラッキング、無線リンクモニタリング（ＲＬＭ）、基準信号受信電力（ＲＳＲＰ）、および基準信号受信品質（ＲＳＲＱ）の測定などのために、ＵＥによって使用されうる。
【００４０】
[0053]  ｅＮＢは、図３で見られるように、各サブフレームの第１のシンボル期間において物理制御フォーマットインジケータチャネル（ＰＣＦＩＣＨ）を送りうる。ＰＣＦＩＣＨは、制御チャネルのために使用されるシンボル期間の数（Ｍ）を伝達することができ、ここで、Ｍは、１、２、または３に等しく、サブフレームごとに変わることができる。Ｍはまた、例えば、１０個未満のリソースブロックを有する、小さなシステム帯域幅では、４に等しくなりうる。図３に示される例では、Ｍ＝３である。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送りうる。ＰＤＣＣＨおよびＰＨＩＣＨはまた、図３に示される例では、最初の３つのシンボル期間に含まれる。ＰＨＩＣＨは、ハイブリッド自動再送要求（ＨＡＲＱ）をサポートするための情報を搬送しうる。ＰＤＣＣＨは、ＵＥのためのリソース割り当てに関する情報と、ダウンリンクチャネルのための制御情報とを搬送しうる。ｅＮＢは、各サブフレームの残りのシンボル期間において物理ダウンリンク共有チャネル（ＰＤＳＣＨ）を送りうる。ＰＤＳＣＨは、ダウンリンク上でのデータ送信のためにスケジュールされたＵＥのためのデータを搬送しうる。ＬＴＥにおける様々な信号およびチャネルは、「Evolved Universal Terrestrial Radio Access (E-UTRA); Physical Channels and Modulation,」と題する、３ＧＰＰ ＴＳ ３６．２１１に説明されており、これは公衆に利用可能である。
【００４１】
[0054]  ｅＮＢは、ｅＮＢによって使用されるシステム帯域幅の中心１．０８ＭＨｚにおいてＰＳＳ、ＳＳＳ、およびＰＢＣＨを送りうる。ｅＮＢは、ＰＣＦＩＣＨおよびＰＨＩＣＨを、これらのチャネルが送られる各シンボル期間において、システム帯域幅全体にわたって送りうる。ｅＮＢは、システム帯域幅のある特定の部分においてＵＥのグループにＰＤＣＣＨを送りうる。ｅＮＢは、システム帯域幅の特定の部分において特定のＵＥにＰＤＳＣＨを送りうる。ｅＮＢは、すべてのＵＥにブロードキャスト方式でＰＳＳ、ＳＳＳ、ＰＢＣＨ、ＰＣＦＩＣＨおよびＰＨＩＣＨを送ることができ、特定のＵＥにユニキャスト方式でＰＤＣＣＨを送ることができ、また特定のＵＥにユニキャスト方式でＰＤＳＣＨを送ることができる。
【００４２】
[0055]  多数のリソース要素が、各シンボル期間において利用可能でありうる。各リソース要素は、１つのシンボル期間において１つのサブキャリアをカバーし、１つの変調シンボルを送るために使用され得、それは実数値または複素数値であり得る。各シンボル期間において基準信号のために使用されないリソース要素は、リソース要素グループ（ＲＥＧ）に配置（arranged）されうる。各ＲＥＧは、１つのシンボル期間における４つのリソース要素を含みうる。ＰＣＦＩＣＨは、４つのＲＥＧを占有することができ、それらは、シンボル期間０において、周波数にわたってほぼ等しい間隔で置かれ得る。ＰＨＩＣＨは、３つのＲＥＧを占有し得、それらは、１つまたは複数の設定可能なシンボル期間において、周波数にわたって拡散され得る。例えば、ＰＨＩＣＨのための３つのＲＥＧは、すべてシンボル期間０に属しうるか、またはシンボル期間０、１および２に拡散されうる。ＰＤＣＣＨは、９、１８、３２、または６４個のＲＥＧを占有し得、それらは、最初のＭ個のシンボル期間において、利用可能なＲＥＧから選択され得る。ある特定のＲＥＧの組み合わせのみが、ＰＤＣＣＨに対して許可されうる。
【００４３】
[0056]  ＵＥは、ＰＨＩＣＨとＰＣＦＩＣＨのために使用される特定のＲＥＧを知りうる。ＵＥは、ＰＤＣＣＨのためのＲＥＧの異なる組み合わせをサーチしうる。サーチする組み合わせの数は、一般に、ＰＤＣＣＨに対して許可される組み合わせの数よりも少ない。ｅＮＢは、ＵＥがサーチするであろう任意の組み合わせにおいてＵＥにＰＤＣＣＨを送りうる。
【００４４】
[0057]  図４は、アップリンクロングタームエボリューション（ＬＴＥ）通信における典型的なフレーム構造を概念的に例示するブロック図である。アップリンクのために利用可能なリソースブロック（ＲＢ）は、データセクションと制御セクションとに分割されうる。制御セクションは、システム帯域幅の２つの端において形成されることができ、設定可能なサイズを有することができる。制御セクションにおけるリソースブロックは、制御情報の送信のためにＵＥに割り当てられうる。データセクションは、制御セクションに含まれないすべてのリソースブロックを含みうる。図４の設計は、連続するサブキャリアを含むデータセクションをもたらし、これは、単一のＵＥに、データセクションにおけるすべての連続するサブキャリアが割り当てられることを可能にする。
【００４５】
[0058]  ＵＥは、ｅＮＢに制御情報を送信するために、制御セクションにおけるリソースブロックを割り当てられうる。ＵＥはまた、ｅノードＢにデータを送信するために、データセクションにおけるリソースブロックを割り当てられうる。ＵＥは、制御セクションにおける割り当てられたリソースブロック上の物理アップリンク制御チャネル（ＰＵＣＣＨ）において、制御情報を送信しうる。ＵＥは、データセクションにおける割り当てられたリソースブロック上の物理アップリンク共有チャネル（ＰＵＳＣＨ）において、データのみ、またはデータと制御情報の両方を送信しうる。アップリンク送信は、サブフレームの両方のスロットにまたがることができ、また、図４に示されるように、周波数にわたってホッピングすることができる。
【００４６】
[0059]  ＬＴＥにおけるＰＳＳ、ＳＳＳ、ＣＲＳ、ＰＢＣＨ、ＰＵＣＣＨおよびＰＵＳＣＨは、「Evolved Universal Terrestrial Radio Access (E-UTRA); Physical Channels and Modulation,」と題する、３ＧＰＰ ＴＳ ３６．２１１に説明されており、これは公衆に利用可能である。
【００４７】
[0060]  一態様では、マルチ無線共存の解決策を容易にするために、３ＧＰＰ ＬＴＥ環境または同様のものなどの、ワイヤレス通信環境内にサポートを提供するためのシステムおよび方法が、本明細書に説明される。
【００４８】
[0061]  ここで図５を参照すると、本明細書で説明される様々な態様が機能しうる実例的なワイヤレス通信環境５００が例示される。ワイヤレス通信環境５００は、ワイヤレスデバイス５１０を含むことができ、それは、複数の通信システムと通信可能であることができる。これらのシステムは、例えば、１つまたは複数のセルラシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、またはこれらの任意の組み合わせを含みうる。以下の説明では、「ネットワーク」および「システム」という用語は、しばしば交換可能に用いられることが理解されるべきである。
【００４９】
[0062]  セルラシステム５２０および５３０は、それぞれＣＤＭＡ、ＴＤＭＡ、ＦＤＭＡ、ＯＦＤＭＡ，シングルキャリアＦＤＭＡ（ＳＣ−ＦＤＭＡ）、または他の適切なシステムでありうる。ＣＤＭＡシステムは、ユニバーサル地上無線アクセス（ＵＴＲＡ）、ｃｄｍａ２０００などの無線技術を実装しうる。ＵＴＲＡは、広帯域ＣＤＭＡ（ＷＣＤＭＡ（登録商標））およびＣＤＭＡの他の変形を含む。さらに、ｃｄｍａ２０００は、ＩＳ−２０００（ＣＤＭＡ２０００ １Ｘ）、ＩＳ−９５およびＩＳ−８５６（ＨＲＰＤ）規格をカバーする。ＴＤＭＡシステムは、モバイル通信用グローバルシステム（ＧＳＭ）、デジタルアドバンストモバイル電話システム（Ｄ−ＡＭＰＳ）などの無線技術を実装しうる。ＯＦＤＭＡシステムは、発展型ＵＴＲＡ（Ｅ−ＵＴＲＡ）、ウルトラモバイルブロードバンド（ＵＭＢ）、ＩＥＥＥ ８０２．１６（ＷｉＭＡＸ）、ＩＥＥＥ ８０２．２０、Ｆｌａｓｈ−ＯＦＤＭ（登録商標）などの無線技術を実装しうる。ＵＴＲＡおよびＥ−ＵＴＲＡは、ユニバーサルモバイル通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に説明されている。ｃｄｍａ２０００およびＵＭＢは、「第３世代パートナーシッププロジェクト２」（３ＧＰＰ２）と呼ばれる団体からの文書に説明されている。一態様では、セルラシステム５２０は、多数の基地局５２２を含むことができ、それらは、それらのカバレッジ内のワイヤレスデバイスのための双方向通信をサポートすることができる。同様に、セルラシステム５３０は、それらのカバレッジ内のワイヤレスデバイスのための双方向通信をサポートすることができる多数の基地局５３２を含みうる。
【００５０】
[0063]  ＷＬＡＮシステム５４０および５５０は、ＩＥＥＥ ８０２.１１（Ｗｉ−Ｆｉ（登録商標））、Ｈｉｐｅｒｌａｎなどの無線技術をそれぞれ実装しうる。ＷＬＡＮシステム５４０は、双方向通信をサポートすることができる１つまたは複数のアクセスポイント５４２を含みうる。同様に、ＷＬＡＮシステム５５０は、双方向通信をサポートすることができる１つまたは複数のアクセスポイント５５２を含みうる。ＷＰＡＮシステム５６０は、ブルートゥース（ＢＴ）、ＩＥＥＥ ８０２．１５などの無線技術を実装しうる。さらに、ＷＰＡＮシステム５６０は、ワイヤレスデバイス５１０、ヘッドセット５６２、コンピュータ５６４、マウス５６６、または同様のものなどの、様々なデバイスのための双方向通信をサポートしうる。
【００５１】
[0064]  ブロードキャストシステム５７０は、テレビジョン（ＴＶ）ブロードキャストシステム、周波数変調（ＦＭ）ブロードキャストシステム、デジタルブロードキャストシステムなどでありうる。デジタルブロードキャストシステムは、ＭｅｄｉａＦＬＯ（登録商標）、ハンドヘルドのためのデジタルビデオブロードキャスティング (ＤＶＢ−Ｈ)、地上波テレビジョンブロードキャスティングのための統合サービスデジタルブロードキャスティング（ＩＳＤＢ−Ｔ）、または同様のものなどの無線技術を実装しうる。さらに、ブロードキャストシステム５７０は、一方向通信をサポートすることができる１つまたは複数のブロードキャスト局５７２を含みうる。
【００５２】
[0065]  衛星測位システム５８０は、米国の全地球測位システム（ＧＰＳ）、欧州のガリレオシステム、ロシアのＧＬＯＮＡＳＳシステム、日本上空の準天頂衛星システム（ＱＺＳＳ：Quasi-Zenith Satellite System）、インド上空のインド地域航法衛星システム（ＩＲＮＳＳ）、中国上空の北斗システム（Beidou system）、および／または、その他任意の適切なシステムでありうる。さらに、衛星測位システム５８０は、位置決定のための信号を送信する多数の衛星５８２を含みうる。
【００５３】
[0066]  一態様では、 ワイヤレスデバイス５１０は、固定またはモバイルであることができ、ユーザ機器（ＵＥ）、移動局、モバイル機器、端末、アクセス端末、加入者ユニット、局などとも呼ばれることができる。ワイヤレスデバイス５１０は、セルラ電話、携帯情報端末（ＰＤＡ）、ワイヤレスモデム、ハンドヘルドデバイス、ラップトップコンピュータ、コードレス電話、ワイヤレスローカルループ（ＷＬＬ）局などでありうる。加えて、ワイヤレスデバイス５１０は、セルラシステム５２０および／または５３０、ＷＬＡＮシステム５４０および／または５５０、ＷＰＡＮシステム５６０を有するデバイス、および／または、その他任意の適切な（複数を含む）システムおよび／または（複数を含む）デバイスとの双方向通信に従事しうる。ワイヤレスデバイス５１０は、追加または代替として、ブロードキャストシステム５７０および／または衛星測位システム５８０から信号を受信しうる。一般に、ワイヤレスデバイス５１０は、任意の所与の瞬間において、任意の数のシステムと通信しうることが理解されうる。また、ワイヤレスデバイス５１０は、同時に動作する、その構成要素である無線デバイスのうちの様々なものの間で、共存問題を経験しうる。したがって、以下にさらに説明されるように、デバイス５１０は、共存問題を検出および緩和するための機能モジュールを有する共存マネージャ（ＣｘＭ、図示せず）を含む。
【００５４】
[0067]  次に図６を参照すると、マルチ無線ワイヤレスデバイス６００のための実例的な設計を例示するブロック図が提供され、図５の無線機（radio）５１０の実装として使用されうる。図６が例示するように、ワイヤレスデバイス６００は、Ｎ個の無線機６２０ａ〜６２０ｎを含むことができ、それらは、Ｎ個のアンテナ６１０ａ〜６１０ｎにそれぞれ結合されることができ、ここで、Ｎは、任意の整数値であることができる。しかしながら、それぞれの無線機６２０は、任意の数のアンテナ６１０に結合されることができ、複数の無線機６２０はまた、所与の１つのアンテナ６１０を共有できることが理解されるべきである。
【００５５】
[0068]  一般に、無線機６２０は、電磁スペクトルにおいてエネルギーを放射または放出し、電磁スペクトルにおいてエネルギーを受信し、あるいは伝導手段を介して伝搬するエネルギーを生成するユニットでありうる。例として、無線機６２０は、システムまたはデバイスに信号を送信するユニット、または、システムまたはデバイスから信号を受信するユニットでありうる。したがって、無線機６２０は、ワイヤレス通信をサポートするために利用されうることが理解されうる。別の例では、無線機６２０はまた、他の無線機のパフォーマンスに影響を及ぼしうるノイズを放出するユニット（例えば、コンピュータ上のスクリーン、回路基板など）でありうる。したがって、無線機６２０はまた、ワイヤレス通信をサポートすることなくノイズおよび干渉を放出するユニットでもありうることがさらに理解されうる。
【００５６】
[0069]  一態様では、それぞれの無線機６２０は、１つまたは複数のシステムとの通信をサポートしうる。複数の無線機６２０は、追加的にまたは代替として、例えば、異なる周波数帯域（例えば、セルラ帯域およびＰＣＳ帯域）上で送信または受信するために、所与のシステムのために使用されうる。
【００５７】
[0070]  別の態様では、デジタルプロセッサ６３０は、無線機６２０ａ〜６２０ｎに結合されることができ、無線機６２０を介して送信または受信されるデータのための処理のような、様々な機能を実行することができる。各無線機６２０のための処理は、その無線機によってサポートされる無線技術に依存することができ、送信機のための、暗号化（encryption）、符号化、変調など、受信機のための、復調、復号、解読（decryption）など、または同様のことを含むことができる。一例では、概して本明細書で説明されるように、デジタルプロセッサ６３０は、ワイヤレスデバイス６００のパフォーマンスを改善するために、無線機６２０の動作を制御しうる共存マネージャ（ＣｘＭ）６４０を含みうる。共存マネージャ６４０は、データベース６４４へのアクセスを有することができ、データベース６４４は、無線機６２０の動作を制御するために使用される情報を記憶しうる。以下にさらに説明されるように、共存マネージャ６４０は、無線機間の干渉を低減させる様々な技法のために適合されうる。一例では、共存マネージャ６４０は、ＬＴＥが非アクティブな期間中に、ＩＳＭ無線が通信することを可能にするＤＲＸサイクルまたは測定ギャップパターンを要求する。
【００５８】
[0071]  簡単のために、デジタルプロセッサ６３０は、単一のプロセッサとして図６に示される。しかしながら、デジタルプロセッサ６３０は、任意の数のプロセッサ、コントローラ、メモリなどを含みうることが理解されるべきである。一例では、コントローラ／プロセッサ６５０は、ワイヤレスデバイス６００内の様々なユニットの動作を指示しうる。追加または代替として、メモリ６５２は、ワイヤレスデバイス６００のためのプログラムコードおよびデータを記憶しうる。デジタルプロセッサ６３０、コントローラ／プロセッサ６５０、およびメモリ６５２は、１つまたは複数の集積回路（ＩＣ）、特定用途向け集積回路（ＡＳＩＣ）などに実装されうる。特定の非限定的な例として、デジタルプロセッサ６３０は、移動局モデム（ＭＳＭ）ＡＳＩＣに実装されうる。
【００５９】
[0072]  一態様では、共存マネージャ６４０は、それぞれの無線機６２０間の干渉および／または衝突と関連づけられる他のパフォーマンス低下を回避するために、ワイヤレスデバイス６００によって利用されるそれぞれの無線機６２０の動作を管理しうる。共存マネージャ６４０は、図１３に例示されるもののような、１つまたは複数のプロセスを実行しうる。さらなる例示として、図７のグラフ７００は、所与の決定期間における７つの実例的な無線機間のそれぞれの潜在的な衝突を表す。グラフ７００に示される例では、７つの無線機は、ＷＬＡＮ送信機（Ｔｗ）、ＬＴＥ送信機（Ｔｌ）、ＦＭ送信機（Ｔｆ）、ＧＳＭ／ＷＣＤＭＡ送信機（Ｔｃ／Ｔｗ）、ＬＴＥ受信機（Ｒｌ）、ブルートゥース受信機（Ｒｂ）、およびＧＰＳ受信機（Ｒｇ）を含む。４つの送信機は、グラフ７００の左側の４つのノードによって表される。４つの受信機は、グラフ７００の右側の３つのノードによって表される。
【００６０】
[0073]  送信機と受信機との間の潜在的な衝突は、送信機のためのノードと受信機のためのノードとを接続する分岐（branch）によってグラフ７００上で表される。したがって、グラフ７００に示される例では、衝突は、（１）ＷＬＡＮ送信機（Ｔｗ）とブルートゥース受信機（Ｒｂ）との間、（２）ＬＴＥ送信機（Ｔｌ）とブルートゥース受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）と、ＧＳＭ／ＷＣＤＭＡ送信機（Ｔｃ／Ｔｗ）と、ＧＰＳ受信機（Ｒｇ）との間、に存在しうる。
【００６１】
[0074]  一態様では、実例的な共存マネージャ６４０は、図８における図８００によって示されるような方法で、時間において動作しうる。図８００が例示するように、共存マネージャ動作のためのタイムラインは、複数の決定ユニット（ＤＵ）に分割されることができ、それは、通知が処理される任意の適切な一定のまたは非一定の長さ（例えば、１００μｓ）と、コマンドが様々な無線機６２０に提供され、および／または、評価フェーズにおいて行われた動作に基づいてその他の動作が実行される応答フェーズ（例えば、２０μｓ）でありうる。一例では、図８００に示されるタイムラインは、例えば、所与のＤＵにおける通知フェーズの終了直後に所与の無線機から通知が取得されるケースにおける応答のタイミングのような、タイムラインの最悪のケースの動作によって定義されるレイテンシパラメータを有しうる。
【００６２】
[0075]  図９に示されるように、バンド７（周波数分割デュプレックス（ＦＤＤ）アプリンク用）、バンド４０（時分割デュプレックス（ＴＤＤ）通信用）、およびバンド３８（ＴＤＤダウンリンク用）におけるロングタームエボリューション（ＬＴＥ）は、ブルートゥース（ＢＴ）技術およびワイヤレスローカルエリアネットワーク（ＷＬＡＮ）技術によって使用される２．４ＧＨｚ産業科学医療（ＩＳＭ）バンドに隣接する。これらのバンドのための周波数計画は、隣接する周波数における干渉を回避する従来のフィルタリング解決策を可能にするガードバンドが制限されるか、存在しないようになっている。例えば、２０ＭＨのガードバンドが、ＩＳＭとバンド７との間に存在するが、ＩＳＭとバンド４０との間にはガードバンドは存在しない。
【００６３】
[0076]  適切な規格に準拠するように、特定のバンドで動作する通信デバイスは、指定された周波数範囲全体にわたって動作可能であるべきである。例えば、ＬＴＥに準拠するために、移動局／ユーザ機器は、第３世代パートナーシッププロジェクト（３ＧＰＰ）によって定義されるように、バンド４０（２３００−２４００ＭＨｚ）とバンド７（２５００−２５７０ＭＨｚ）との両方の全体にわたって通信可能であるべきである。十分なガードバンドなしでは、デバイスが他のバンドにオーバーラップするフィルタを用いることは、バンド干渉を引き起こす。バンド４０フィルタは、バンド全体をカバーするために１００ＭＨｚ幅であるので、これらのフィルタからのロールオーバ（rollover）がＩＳＭバンドへクロスオーバする（crosses over）ことは、干渉を引き起こす。同様に、ＩＳＭバンドの全体（例えば、２４０１ＭＨｚから約２４８０ＭＨｚ）を使用するＩＳＭデバイスは、近隣のバンド４０とバンド７へとロールオーバするフィルタを用い、干渉を引き起こしうる。
【００６４】
[0077]  デバイス内共存問題は、例えば、ＬＴＥバンドとＩＳＭバンド（例えば、ブルートゥース／ＷＬＡＮ用）とのようなリソース間で、ＵＥに関して存在しうる。現在のＬＴＥ実装では、ＬＴＥに対する任意の干渉問題は、ｅＮＢが、例えば、ＬＴＥを共存問題のないチャネルまたはＲＡＴに移動するための、周波数間またはＲＡＴ間のハンドオフ決定を行うために使用しうるダウンリンク誤り率および／またはＵＥによって報告されるダウンリンク測定値（例えば、基準信号受信品質（ＲＳＲＱ）メトリックなど）に反映される。しかしながら、例えば、ＬＴＥアップリンクは、ブルートゥース／ＷＬＡＮに干渉を引き起こしているが、ＬＴＥダウンリンクは、ブルートゥース／ＷＬＡＮからの干渉は少しも見られない場合、これらの既存の技法は、機能しないことが理解されうる。より具体的には、たとえＵＥがアップリンク上の別のチャネルにそれ自体を自律的に移動したとしても、ｅＮＢは、いくつかのケースでは、負荷バランシング目的のために、問題のあるチャネルにＵＥをハンドオーバし戻しうる。任意のケースでは、既存の技法は、問題のあるチャネルの帯域幅の使用を、最も効率的な方法で容易にする訳ではないことが理解されうる。
【００６５】
[0078]  ここで図１０を参照すると、マルチ無線共存管理のためにワイヤレス通信環境内にサポートを提供するためのシステム１０００のブロック図が例示される。一態様では、システム１０００は、１つまたは複数のＵＥ １０１０および／またはｅＮＢ １０４０を含むことができ、これらは、アップリンクおよび／またはダウンリンクの通信、および／または、互いとおよび／またはシステム１０００におけるその他任意のエンティティとのその他任意の適切な通信に従事しうる。一例では、ＵＥ １０１０および／またはｅＮＢ １０４０は、周波数チャネルおよびサブバンドを含む、様々なリソースを使用して通信するように動作可能であり、そのうちのいくつかは、他の無線リソース（例えば、ＬＴＥモデムのようなブロードバンド無線）と潜在的に衝突しうる。したがって、ＵＥ １０１０は、本明細書で概して説明されるような、ＵＥ １０１０によって利用される複数の無線間の共存を管理するための様々な技法を利用しうる。
【００６６】
[0079]  少なくとも上記の欠点を緩和するために、ＵＥ １０１０は、ＵＥ １０１０内のマルチ無線共存のためのサポートを容易にするために、本明細書に説明され、システム１０００によって例示されるそれぞれの特徴を利用しうる。例えば、チャネルモニタリングモジュール１０１２、サイドバンド情報モジュール１０１４、および非線形干渉除去（ＩＣ）モジュール１０１６が提供されうる。様々なモジュール１０１２−１０１６は、いくつかの例では、図６の共存マネージャ６４０のような共存マネージャの一部として実装されうる。様々なモジュール１０１２−１０１６およびその他のモジュールは、本明細書で説明される実施形態を実装するように構成されうる。
【００６７】
[サイドバンド情報を使用した適応非線形干渉除去］
[0080]  複数の無線アクセス技術（ＲＡＴ）が、同時に単一のデバイスにおいて動作するとき、１つＲＡＴによる送信アクティビティは、別のＲＡＴの受信アクティビティと干渉しうる。このような干渉は、各ＲＡＴの動作周波数が互いに近いときのみならず、送信（すなわち、アグレッサ（aggressor））ＲＡＴの高調波（harmonics）が、受信（すなわち、ビクティム（victim））ＲＡＴの動作周波数に近いときにも起こりうる。ＵＥおよび共存マネージャに知られている（サイドバンド情報と呼ばれる）アグレッサＲＡＴおよびビクティムＲＡＴの動作についての情報を使用することによって、この干渉を低減させるための方法が提供される。この方法は、適応性があり、したがって、低減された初期較正とともに実装されうる。サイドバンド情報は、アグレッサＲＡＴがビクティムＲＡＴと同じデバイス上にあるので、ＵＥと共存マネージャに知られている。サイドバンド情報を使用して、ＵＥは、ビクティムＲＡＴから干渉、具体的には、高調波干渉の影響を低減するために、受信機ＲＡＴ上で干渉除去を実行するための動作を行いうる。
【００６８】
[0081]  受信信号が干渉を経験するとき、受信ＲＡＴは、干渉除去として知られるプロセスを通じて干渉を分離（isolate）および取り除くように試みうる。干渉除去の間、既知のまたは推定された干渉信号は、受信された信号から除去され得、その結果、干渉の影響が低減されて、所望の受信信号がより顕著になる。本開示のいくつかの態様では、既知のまたは推定された干渉信号のみならず、アグレッサＲＡＴおよび／またはビクティムＲＡＴからの信号も、デジタルベースバンド信号でありうる。
【００６９】
[0082]  図１１は、ＵＥにおいて存在しうるいくつかの実例的な構成要素を示す。ワイヤレスローカルエリアネットワーク（ＷＬＡＮ）受信（Ｒｘ）モジュール１１０２のようなＩＳＭモジュールは、アンテナ１１０４に接続されうる。ロングタームエボリューション（ＬＴＥ）送信（Ｔｘ）モジュール１１０６のようなワイヤレス広域ネットワーク（ＷＷＡＮ）モジュールは、アンテナ１１０８に接続されうる。ＷＬＡＮ Ｒｘモジュール１１０２とＬＴＥ Ｔｘモジュール１１０６の両方は、ＲＡＴ間非線形（ＮＬ）干渉除去（ＩＣ）モジュール１１１０に接続されうる。動作中、ＬＴＥ Ｔｘモジュール１１０６は、その中心動作周波数ｆ０ １１１２の周辺で、および、周波数３ｆ０ １１１４の周辺のような、中心動作周波数の高調波の周辺でも、信号を放出する。これらの非線形信号放出がＷＬＡＮ ＲＡＴの動作周波数の近くである場合、これら放出は、点線１１１６によって例示されるように、ＷＬＡＮ Ｒｘモジュール１１０２の受信アクティビティと干渉しうる。
【００７０】
[0083]  図１１に示されるように、ＬＴＥ Ｔｘモジュール１１０６は、ＮＬ−ＩＣモジュール１１１０に実部（real）および虚部（imaginary）（Ｉ−Ｑ）のベースバンドサンプル（ＢＢ ｓｍｐｌｅｓ）を出力する送信ベースバンドモジュール（Ｔｘ−ＢＢ Ｍｏｄ）を含む。ＮＬ−ＩＣモジュール１１１０の多項式ジェネレータ（Ｐｏｌｙｎｏｍ Ｇｅｎｅｒ Ｈ３Ｄ）は、ＬＴＥ送信信号の３次成分（Ｘ3）を生成する。その後、これらの３次成分は、有限インパルス応答（ＦＩＲ）フィルタに渡され、それは、ＬＴＥ Ｔｘデュプレクサ（Ｄｐｌｘｒ）の応答を推定する。ＦＩＲフィルタは、調整可能な重みＷを有する。その後、ＦＩＲフィルタによって生成される、再構成された、推定された３次干渉
【数１】
0006301342.tif 000002
【００７１】
は、ビクティムＷＬＡＮ受信パスから除去される。除去後、ＷＬＡＮ Ｒｘモジュール１１０２からのフィードバックパスは、ＮＬ−ＩＣ １１１０へ行き、推定された３次干渉
【数２】
0006301342.tif 000003
【００７２】
に適用される調整可能な重みＷを通じて、除去出力（cancellation output）の平均二乗誤差（ＭＳＥ）を適応的に低減する。
【００７３】
[0084]  アグレッサＬＴＥ Ｔｘモジュール１１０６は、ＷＬＡＮ Ｒｘモジュール１１０２と同じデバイス（すなわち、ＵＥ）にあるので、ＬＴＥ Ｔｘモジュール１１０６のある特定の挙動情報（behavioral information）は、ＷＬＡＮ Ｒｘモジュール１１０２、または共存マネージャ６４０のような、ＵＥの他の構成要素に利用可能とされうる。その情報は、アグレッサの周波数、帯域幅、リソースブロック割り当て、送信電力などを含む。また、ビクティムの周波数、帯域幅、受信信号強度インジケータ（ＲＳＳＩ）などがＵＥに知られている。このサイドバンド情報を使用して、ＵＥは、非線形除去スキームを使用して、アグレッサからのエコー効果干渉（echo effect interference）を除去しうる。
【００７４】
[0085]  図１２は、サイドバンド情報を利用して非線形干渉除去を実行するためのＵＥにおける実例的な構成要素の構成を示す。多項式ジェネレータ（すなわち、非線形性ジェネレータ）は、送信機の非線形成分を再構成するように試みる。サイドバンド情報モジュールは、多項式ジェネレータによる考慮のために、支配的な干渉メカニズムを決定することを支援する、アグレッサの周波数、帯域幅、および他の情報などの、送信機情報に関する情報を多項式ジェネレータに供給しうる。サイドバンド情報モジュールはまた、多項式ジェネレータに適用可能な支配的な干渉メカニズムを決定することを容易にするビクティムの周波数のような、追加の情報を供給しうる。例えば、ビクティムの動作周波数が、アグレッサの中心動作周波数の特定の高調波とオーバーラップする場合、干渉除去動作は、その特定の高調波に集中しうる。例えば、ある特定のビクティムバンドの動作（例えば、Ｂ１、Ｂ２、Ｂ３、Ｂ４、Ｂ５、Ｂ９、Ｂ１０、Ｂ１８、Ｂ２４、Ｂ２５、Ｂ３９、韓国のＰＣＳバンド（ＫＰＣＳ））については、ＷＬＡＮ ＲＡＴに対する干渉は、ＷＷＡＮ送信の３次高調波によって支配されうる。この例では、干渉除去は、干渉を再構成するために３次モデルに集中しうる。他のビクティムバンド（例えば、Ｂ７、Ｂ３８、Ｂ４１）では、５ＧＨｚ ＷＬＡＮ ＲＡＴに対する干渉は、ＷＷＡＮ送信の２次高調波によって支配されうる。この例では、干渉除去は、干渉を再構成するために２次モデルに集中しうる。他のビクティムバンド（例えば、Ｂ７、Ｂ４０、Ｂ４１）では、２．４ＧＨｚ ＷＬＡＮ ＲＡＴに対する干渉は、プライマリＷＷＡＮ送信アウトバウンド放出によって支配されうる。
【００７５】
[0086]  また、図１２には、重み推定モジュールにおける適応フィルタによって指定された調整可能な重みＷを有するローパスフィルタ（ＬＰＦ）が示される。非線形干渉除去は、適応的な方法を使用してＬＰＦ係数（LPF coefficients）を調整することによって、アグレッサのデュプレックス応答（duplex response）に適合しうる。例えば、ＬＰＦタップの数は、アグレッサ（ＬＴＥ）のリソースブロック（ＲＢ）割り当てに基づいて調整されうる。ＬＴＥ ＲＢは、サブフレーム単位で調整されることができ、低いＲＢが割り当てられた場合、ＬＰＦタップは、それに応じて、例えば、単一のタップに調整されうる。同様に、ＬＴＥ ＲＡＴがより高い数のＲＢを割り当てられた場合、より多くのタップがＬＰＦに追加されうる。多数のタップは、デュプレクサ応答の周波数選択性をより良く捕捉（capture）しうるが、推定のためのより多くのパラメータは、より長い処理時間をもたらしうる。ＬＴＥ ＲＢ割り当ては、実際のＬＴＥ送信より前にＵＥに知られ得、このサイドバンド情報は、所望通りにタップの数を調整するために、干渉推定（interference estimate）に組み込まれることができる。アグレッサのサブフレームの周波数割り当て（すなわち、リソースブロックの数）が広いほど、ＬＰＦにおいて使用されるタップの数は大きくなる。
【００７６】
[0087]  図１２にさらに示されるように、干渉除去は、ＬＴＥ Ｔｘ電力および／またはビクティムＲＳＳＩに基づいてオン／オフにされうる。例えば、ＬＴＥ Ｔｘ電力が低いおよび／またはビクティムＲＳＳＩが高い場合、干渉の可能性は低く、干渉除去は不要でありうる。例えば、１つまたは複数の送信ＲＡＴパラメータおよび／または受信ＲＡＴパラメータは、干渉除去を実行するより前に１つまたは複数のしきい値と比較されうる。一例として、ＬＴＥ電力が低いまたはＷＬＡＮ ＲＳＳＩが高い場合、干渉除去は不要であり、オフにされうる。
【００７７】
[0088]  図１３に示されるように、ＵＥは、ブロック１３０２に示されるように、ユーザ機器（ＵＥ）の送信無線アクセス技術（ＲＡＴ）の少なくとも１つの動作パラメータを決定しうる。送信ＲＡＴは、少なくとも１つの動作パラメータに従って信号を送信しうる。ＵＥは、ブロック１３０４に示されるように、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用しうる。ＵＥは、ブロック１３０６に示されるように、受信ＲＡＴによって受信された信号から、ベースバンドにおける推定された非線形干渉を除去しうる。
【００７８】
[0089]  図１４は、処理システム１４１４を用いる装置１４００のためのハードウェア実装の一例を例示する図である。処理システム１４１４は、一般にバス１４２４によって表されるバスアーキテクチャを用いて実装されうる。バス１４２４は、処理システム１４１４の特定のアプリケーションおよび全体的な設計制約に依存して、任意の数の相互接続バスおよびブリッジを含みうる。バス１４２４は、プロセッサ１４２６、決定モジュール１４０２、推定モジュール１４０４、および除去モジュール１４０６によって表される、１つまた複数のプロセッサおよび／またはハードウェアモジュールと、コンピュータ可読媒体１４２８とを含む様々な回路をともにリンクする。バス１４２４はまた、タイミングソース、周辺機器、電圧制御装置、および電力管理回路などの様々な他の回路をリンクすることができ、これらは、当該技術分野において周知であり、したがって、これ以上は説明されない。
【００７９】
[0090]  この装置は、アグレッサデバイスからの送信を示す、送信ブロック１４３８、非線形干渉除去（ＮＬＩＣ）デバイス１４３０のような、ハードウェアデバイスに結合された処理システム１４１４を含む。送信ブロック１４３８は、制御信号を、処理システムから受信するのみならず、処理システム１４１４に送信しうる。例えば、送信ブロック１４３８は、送信するための送信電力を示す、処理システム１４１４からの信号を受信しうる。加えて、処理システム１４１４は、送信ブロック１４３８からサイドバンド情報を受信しうる。ＮＬＩＣモジュール１４３０は、ビクティムトランシーバ１４２２および復調器／復号ブロック１４３２に結合される。ビクティムトランシーバ１４２２は、１つまたは複数のアンテナ１４２０に結合される。同様に、アグレッサトランシーバ１４３４は、１つまたは複数のアンテナ１４３６に結合される。ビクティムトランシーバ１４２２およびアグレッサトランシーバ１４３４は、送信媒体上で様々な他の装置と通信するための手段を提供する。一態様では、ビクティムトランシーバは、復調器／復号ブロック１４３２における復調および復号によって後続される動作を実装するための物理レイヤエンティティとしてＮＬＩＣモジュール１４３０を利用する。処理システムは、ＮＬＩＣモジュール１４３０をイネーブルにするか、あるいはディセーブルにするかを決定するために、決定モジュール１４０２における電力レベル情報のような情報へのアクセスを有しうる。情報はまた、多項式次数（polynomial order）にしたがって、またはＮＬＩＣモジュール１４３０に関連づけられたフィルタによって使用されるタップの数を計算するために、推定モジュール１４０４において処理されうる。したがって、決定モジュール１４０２および推定モジュール１４０４の出力は、ＮＬＩＣモジュール１４３０の構成を最適化または改善するために、ＮＬＩＣモジュール１４３０のための制御としての役を担う。本開示の一態様では、ＮＬＩＣモジュール１４３０は、処理システム１４１４において実装されうる。いくつかの態様では、処理システム１４１４は、ＮＬＩＣモジュール１４３０の構成を最適化または改善するために、ＮＬＩＣモジュール１４３０のための制御機能とともに構成されたデジタル信号プロセッサ（ＤＳＰ）でありうる。処理システム１４１４は、コンピュータ可読媒体１４２８に結合されたプロセッサ１４２６を含む。プロセッサ１４２６は、コンピュータ可読媒体１４２８に記憶されたソフトウェアの実行を含む一般的な処理を担う。このソフトウェアは、プロセッサ１４２６によって実行されたとき、処理システム１４１４に、任意の特定の装置のために、上記に説明した様々な機能を実行させる。コンピュータ可読媒体１４２８はまた、ソフトウェアを実行するとき、プロセッサ１４２６によって操作されるデータを記憶するために使用されうる。
【００８０】
[0091]  処理システム１４１４は、ユーザ機器（ＵＥ）の送信無線アクセス技術（ＲＡＴ）の少なくとも１つの動作パラメータを決定するための決定モジュール１４０２をさらに含む。処理システム１４１４は、送信ＲＡＴの決定された少なくとも１つの動作パラメータに少なくとも部分的に基づいて、送信ＲＡＴの送信された信号のデジタルベースバンド部分から、ＵＥの受信ＲＡＴへのデジタルベースバンドにおける非線形干渉を推定するために、非線形変換を適用するための推定モジュール１４０４をさらに含む。処理システム１４１４は、受信ＲＡＴによって受信された信号から、ベースバンドにおける推定された非線形干渉を除去するための除去モジュール１４０６をさらに含む。送信された電力レベル情報に基づく、除去のような、本開示の態様は、不要な電力消費を回避する。決定モジュール１４０２、推定モジュール１４０４および除去モジュール１４０６は、プロセッサ１４２６において実行されコンピュータ可読媒体１４２８中に存在する／記憶されたソフトウェアモジュール、プロセッサ１４２６に結合された１つまたは複数のハードウェアモジュール、またはこれらの何らかの組合せでありうる。処理システム１４１４は、ＵＥ ２５０の構成要素であることができ、メモリ２７２および／またはプロセッサ２７０を含むことができる。
【００８１】
[0092]  一構成では、ワイヤレス通信のための装置１４００は、決定するための手段を含む。この手段は、この手段によって記載された機能を実行するように構成された、装置１４００の決定モジュール１４０２および／または処理システム１４１４でありうる。以上に説明されたように、この手段は、サイドバンド情報モジュール１０１４、共存マネージャ６４０、送信機２５４、トランシーバ１４２２、プロセッサ２７０／１４２６、メモリ２７２、および／またはコンピュータ可読媒体１４２８を含みうる。別の態様では、上述された手段は、上述された手段によって記載された機能を実行するように構成された任意のモジュールまたは任意の装置でありうる。
【００８２】
[0093]  一構成では、ワイヤレス通信のための装置１４００は、推定するための手段を含む。この手段は、この手段によって記載された機能を実行するように構成された、装置１４００の推定モジュール１４０４および／またはシステム１４１４でありうる。以上に説明されたように、この手段は、サイドバンド情報モジュール１０１４、非線形ＩＣモジュール１０１６、共存マネージャ６４０、プロセッサ２７０／１４２６、メモリ２７２、および／またはコンピュータ可読媒体１４２８を含みうる。別の態様では、上述された手段は、上述された手段によって記載された機能を実行するように構成された任意のモジュールまたは任意の装置でありうる。
【００８３】
[0094]  一構成では、ワイヤレス通信のための装置１４００は、除去するための手段を含む。この手段は、この手段によって記載された機能を実行するように構成された、装置１４００の除去モジュール１４０６および／またはシステム１４１４でありうる。以上に説明されたように、この手段は、非線形ＩＣモジュール１０１６、共存マネージャ６４０、プロセッサ２７０／１４２６、メモリ２７２、および／またはコンピュータ可読媒体１４２８を含みうる。別の態様では、上述された手段は、上述された手段によって記載された機能を実行するように構成された任意のモジュールまたは任意の装置でありうる。
【００８４】
[0095]  上記例は、ＬＴＥシステムにおいて実装される態様を説明する。しかしながら、本開示の範囲は、それに限定されるものではない。様々な態様は、それに限定されるものではないが、ＣＤＭＡシステム、ＴＤＭＡシステム、ＦＤＭＡシステム、およびＯＦＤＭＡシステムを含む様々な通信プロトコルのうちの任意のものを用いるもののような、他の通信システムとの使用のために適合されうる。
【００８５】
[0096]  開示されたプロセスにおけるステップの特定の順序または階層は、典型的なアプローチの例であることが理解される。設計選択に基づいて、これらプロセスにおけるステップの特定の順序または階層は、本開示の範囲内にとどまりながら、再構成されうることが理解される。添付の方法の請求項は、様々なステップの要素をサンプルの順序で示したものであり、示された特定の順序または階層に限定されるようには意図されない。
【００８６】
[0097]  当業者であれば、情報および信号は、様々な異なる技術および技法のうちの任意のものを用いて表されうることを理解するであろう。例えば、上記説明の全体を通して参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００８７】
[0098]  当業者であれば、本明細書に開示された態様に関連して説明された様々な例示的な論理ブロック、モジュール、回路、およびアルゴリズムステップは、電子ハードウェア、コンピュータソフトウェア、または両方の組み合わせとして実装されうることをさらに理解するであろう。ハードウェアおよびソフトウェアのこの互換性を明確に例示するために、様々な例示的な構成要素、ブロック、モジュール、回路、およびステップは、概してそれらの機能の観点から上記に説明された。このような機能が、ハードウェアとして実装されるか、あるいはソフトウェアとして実装されるかは、特定のアプリケーションおよびシステム全体に課せられる設計制約に依存する。当業者であれば、説明された機能を特定のアプリケーションごとに様々な方法で実装しうるが、このような実装の決定は、本開示の範囲からの逸脱を生じるものと解釈されるべきではない。
【００８８】
[0099]  本明細書で開示された態様に関して説明された様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を実行するように設計されたこれらの任意の組み合わせを用いて実装または実行されうる。汎用プロセッサは、マイクロプロセッサでありうるが、代替として、このプロセッサは、任意の従来のプロセッサ、コントローラ、マイクロコントローラ、またはステートマシン（state machine）でありうる。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、あるいはその他任意のこのような構成として実装されうる。
【００８９】
[0100]  本明細書で開示された態様に関連して説明された方法またはアルゴリズムのステップは、直接ハードウェアにおいて、プロセッサによって実行されるソフトウェアモジュールにおいて、またはこれら２つの組み合わせにおいて、具現化（embodied）されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知であるその他任意の形態の記憶媒体内に存在しうる。典型的な記憶媒体は、プロセッサがこの記憶媒体から情報を読み取り、また、この記憶媒体に情報を書き込むことができるように、プロセッサに結合されうる。代替として、記憶媒体は、プロセッサと一体化されうる。プロセッサおよび記憶媒体は、ＡＳＩＣ内に存在しうる。ＡＳＩＣは、ユーザ端末内に存在しうる。代替として、プロセッサおよび記憶媒体は、ユーザ端末内に個別構成要素として存在しうる。
【００９０】
[0101]  開示された態様の以上の説明は、いかなる当業者であっても、本開示の製造または使用を可能にするように提供される。これら態様への様々な修正は、当業者にとって容易に明らかとなり、本明細書で定義した一般的な原理は、本開示の趣旨または範囲から逸脱することなく他の態様に適用されうる。したがって、本開示は、本明細書に示された態様に限定されるようには意図されず、本明細書に開示される原理および新規な特徴と一致する最も広い範囲を与えられることとなる。
以下に、本願出願の当初の特許請求の範囲に記載された発明を付記する。
［Ｃ１］  ワイヤレス通信のための方法であって、
ユーザ機器（ＵＥ）の送信無線アクセス技術（ＲＡＴ）の少なくとも１つの動作パラメータを決定することと、前記送信ＲＡＴは、前記少なくとも１つの動作パラメータに従って信号を送信する、
前記送信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用することと、
前記受信ＲＡＴによって受信された信号から、ベースバンドにおける前記推定された非線形干渉を除去することと、
を備える、方法。
［Ｃ２］  前記送信ＲＡＴの前記少なくとも１つの動作パラメータは、リソースブロック割り当て、周波数、帯域幅、または送信電力のうちの少なくとも１つを含む、Ｃ１に記載の方法。
［Ｃ３］  前記受信ＲＡＴの少なくとも１つの動作パラメータを決定することをさらに備え、
前記推定は、前記受信ＲＡＴの前記決定された少なくとも１つの動作パラメータに少なくとも部分的にさらに基づく、Ｃ１に記載の方法。
［Ｃ４］  前記受信ＲＡＴの前記少なくとも１つの動作パラメータは、周波数、帯域幅、または受信信号強度インジケータのうちの少なくとも１つを含む、Ｃ３に記載の方法。
［Ｃ５］  除去する前に、前記送信ＲＡＴの前記動作パラメータまたは前記受信ＲＡＴの前記動作パラメータのうちの少なくとも１つをしきい値と比較することをさらに備える、Ｃ３に記載の方法。
［Ｃ６］  ワイヤレス通信のための装置であって、
ユーザ機器（ＵＥ）の送信無線アクセス技術（ＲＡＴ）の少なくとも１つの動作パラメータを決定するための手段と、前記送信ＲＡＴは、前記少なくとも１つの動作パラメータに従って信号を送信する、
前記送信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用するための手段と、
前記受信ＲＡＴによって受信された信号から、ベースバンドにおける前記推定された非線形干渉を除去するための手段と、
を備える、装置。
［Ｃ７］  前記送信ＲＡＴの前記少なくとも１つの動作パラメータは、リソースブロック割り当て、周波数、帯域幅、または送信電力のうちの少なくとも１つを含む、Ｃ６に記載の装置。
［Ｃ８］  前記受信ＲＡＴの少なくとも１つの動作パラメータを決定するための手段をさらに備え、
前記推定は、前記受信ＲＡＴの前記決定された少なくとも１つの動作パラメータに少なくとも部分的にさらに基づく、Ｃ６に記載の装置。
［Ｃ９］  前記受信ＲＡＴの前記少なくとも１つの動作パラメータは、周波数、帯域幅、または受信信号強度インジケータのうちの少なくとも１つを含む、Ｃ８に記載の装置。
［Ｃ１０］  除去する前に、前記送信ＲＡＴの前記動作パラメータまたは前記受信ＲＡＴの前記動作パラメータのうちの少なくとも１つをしきい値と比較するための手段をさらに備える、Ｃ８に記載の装置。
［Ｃ１１］  ワイヤレスネットワークにおけるワイヤレス通信のためのコンピュータプログラム製品あって、
非一時的なプログラムコードを記録したコンピュータ可読媒体を備え、前記プログラムコードは、
ユーザ機器（ＵＥ）の送信無線アクセス技術（ＲＡＴ）の少なくとも１つの動作パラメータを決定するためのプログラムコードと、前記送信ＲＡＴは、前記少なくとも１つの動作パラメータに従って信号を送信する、
前記送信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用するためのプログラムコードと、
前記受信ＲＡＴによって受信された信号から、ベースバンドにおける前記推定された非線形干渉を除去するためのプログラムコードと、
を備える、コンピュータプログラム製品。
［Ｃ１２］  前記送信ＲＡＴの前記少なくとも１つの動作パラメータは、リソースブロック割り当て、周波数、帯域幅、または送信電力のうちの少なくとも１つを含む、Ｃ１１に記載のコンピュータプログラム製品。
［Ｃ１３］  前記プログラムコードは、
前記受信ＲＡＴの少なくとも１つの動作パラメータを決定するためのプログラムコードをさらに備え、
前記推定は、前記受信ＲＡＴの前記決定された少なくとも１つの動作パラメータに少なくとも部分的にさらに基づく、Ｃ１１に記載のコンピュータプログラム製品。
［Ｃ１４］  前記受信ＲＡＴの前記少なくとも１つの動作パラメータは、周波数、帯域幅、または受信信号強度インジケータのうちの少なくとも１つを含む、Ｃ１３に記載のコンピュータプログラム製品。
［Ｃ１５］  前記プログラムコードは、除去する前に、前記送信ＲＡＴの前記動作パラメータまたは前記受信ＲＡＴの前記動作パラメータのうちの少なくとも１つをしきい値と比較するためのプログラムコードをさらに備える、Ｃ１３に記載のコンピュータプログラム製品。
［Ｃ１６］  ワイヤレス通信のための装置であって、
メモリと、
前記メモリに結合された少なくとも１つのプロセッサと、
を備え、前記少なくとも１つのプロセッサは、
ユーザ機器（ＵＥ）の送信無線アクセス技術（ＲＡＴ）の少なくとも１つの動作パラメータを決定し、前記送信ＲＡＴは、前記少なくとも１つの動作パラメータに従って信号を送信する、
前記送信ＲＡＴの前記決定された少なくとも１つの動作パラメータに少なくとも部分的に基づいて、前記送信ＲＡＴの送信された信号のデジタルベースバンド部分から、前記ＵＥの受信ＲＡＴへのデジタルベースバンドにおける非線形干渉を推定するために、非線形変換を適用し、
前記受信ＲＡＴによって受信された信号から、ベースバンドにおける前記推定された非線形干渉を除去する、
ように構成された、装置。
［Ｃ１７］  前記送信ＲＡＴの前記少なくとも１つの動作パラメータは、リソースブロック割り当て、周波数、帯域幅、または送信電力のうちの少なくとも１つを含む、Ｃ１６に記載の装置。
［Ｃ１８］  前記少なくとも１つのプロセッサは、
前記受信ＲＡＴの少なくとも１つの動作パラメータを決定するようにさらに構成され、
前記推定は、前記受信ＲＡＴの前記決定された少なくとも１つの動作パラメータに少なくとも部分的にさらに基づく、Ｃ１６に記載の装置。
［Ｃ１９］  前記受信ＲＡＴの前記少なくとも１つの動作パラメータは、周波数、帯域幅、または受信信号強度インジケータのうちの少なくとも１つを含む、Ｃ１８に記載の装置。
［Ｃ２０］  前記少なくとも１つプロセッサは、除去する前に、前記送信ＲＡＴの前記動作パラメータまたは前記受信ＲＡＴの前記動作パラメータのうちの少なくとも１つをしきい値と比較するようにさらに構成される、Ｃ１８に記載の装置。
【図１】
0006301342.tif 000004
【図２】
0006301342.tif 000005
【図３】
0006301342.tif 000006
【図４】
0006301342.tif 000007
【図５】
0006301342.tif 000008
【図６】
0006301342.tif 000009
【図７】
0006301342.tif 000010
【図８】
0006301342.tif 000011
【図９】
0006301342.tif 000012
【図１０】
0006301342.tif 000013
【図１１】
0006301342.tif 000014
【図１２】
0006301342.tif 000015
【図１３】
0006301342.tif 000016
【図１４】
0006301342.tif 000017